(57)【要約】【課題】  分解組立式スタジオを提供する。【解決手段】  分解組立式スタジオ１０を、矩形板状を為す左右一対の側面パネル１１，１２と、矩形板状を為す左右一対の背面パネル１３，１４と、矩形板状を為す一対の分割パネルを水平断面「Ｌ」字状に連結した構造を有する左右一対のコーナーパネル１５，１６と、側面パネル１１，１２の上部に架け渡される天井部材１７とで構成し、側面パネル１１，１２における互いに対向する面、背面パネル１３，１４における前方を向く面、及び、コーナーパネル１５，１６におけるコーナー部の内側を向く面を背景表示面とし、側面パネル１１，１２、背面パネル１３，１４及びコーナーパネル１５，１６の側縁部に、これらの隣に配される他の側面パネル１１，１２、背面パネル１３，１４及びコーナーパネル１５，１６の側縁部に連結するためのパネル連結部α１，α２を設けた。【選択図】  図２
2019052433.tif 000002
【特許請求の範囲】
【請求項１】
分解組立式スタジオであって、
左右方向に所定間隔を隔てて配される左右一対の側面パネルと、
側面パネルの後方に配される左右一対の背面パネルと、
左側の側面パネルと左側の背面パネルとのコーナー部、及び、右側の側面パネルと右側の背面パネルとのコーナー部にそれぞれ配される左右一対のコーナーパネルと、
左側の側面パネルと右側の側面パネルとの上部に架け渡される天井部材と
で構成され、
側面パネル及び背面パネルが矩形板状を為し、
コーナーパネルが、矩形板状を為す一対の分割パネルを水平断面「Ｌ」字状に連結した構造を有するとともに、
左右一対の側面パネルにおける互いに対向する面、左右一対の背面パネルにおける前方を向く面、及び、左右一対のコーナーパネルにおける前記コーナー部の内側を向く面が、背景表示面とされて、
側面パネル、背面パネル及びコーナーパネルの側縁部に、これらの隣に配される他の側面パネル、背面パネル及びコーナーパネルの側縁部に連結するためのパネル連結部が設けられた
ことを特徴とする分解組立式スタジオ。
【請求項２】
側面パネル及び背面パネルの全てが同一寸法の矩形板状を為す請求項１記載の分解組立式スタジオ。
【請求項３】
コーナーパネルが、そのコーナーパネルを構成する一方の分割パネルと他方の分割パネルとが互いに重なり合う二つ折り状態にすることができる構造とされた請求項１又は２記載の分解組立式スタジオ。
【請求項４】
コーナーパネルを構成するそれぞれの分割パネルが、側面パネルを横幅方向に二等分した矩形板状を為す請求項２及び３記載の分解組立式スタジオ。
【請求項５】
パネル連結部が、側面パネル、背面パネル及びコーナーパネルの側端面に設けられた凸部及び凹部を互いに嵌合するものとされた請求項１〜４いずれか記載の分解組立式スタジオ。
【請求項６】
天井部材が、その左側を形成する左側部材と、その右側を形成する右側部材とが互いに重なり合う二つ折り状態にすることができる構造とされた請求項１〜５いずれか記載の分解組立式スタジオ。
【発明の詳細な説明】
【技術分野】
【０００１】
本発明は、分解して運搬又は収納することのできる分解組立式スタジオに関する。
【背景技術】
【０００２】
近年、特定の場所にあるスタジオ（固定スタジオ）で写真撮影を行うのではなく、現地まで移動して写真撮影をすることに対する需要が高まってきている。このような実状に鑑みて、これまでには、荷台部分がスタジオとして利用できるトラック（例えば特許文献１や特許文献２を参照。）等、移動式のスタジオ車両も提案されている。
【先行技術文献】
【特許文献】
【０００３】
【特許文献１】実開平０４−０１３４３１号公報
【特許文献２】実開平０６−０３６９７３号公報
【発明の概要】
【発明が解決しようとする課題】
【０００４】
ところが、移動式のスタジオ車両は、車両の入ることができない室内等に設置することができないという欠点を有していた。このため、移動式のスタジオ車両は、自宅の室内で記念写真を撮影するような場合や、オフィスビルの会議室で商品の宣伝写真を撮影するような場合には、使用することができなかった。また、移動式のスタジオ車両は、それを購入しようとすると、安く見積もっても数百万円は必要であり、高価であるという欠点も有していた。
【０００５】
本発明は、上記課題を解決するために為されたものであり、屋外だけでなく室内にも容易に搬入することができる分解組立式スタジオを提供することを目的とする。また、本発明は、分解組立式スタジオをシンプルな構造として安価で提供することも目的としている。
【課題を解決するための手段】
【０００６】
上記課題は、
分解組立式スタジオであって、
左右方向に所定間隔を隔てて配される左右一対の側面パネルと、
側面パネルの後方に配される左右一対の背面パネルと、
左側の側面パネルと左側の背面パネルとのコーナー部、及び、右側の側面パネルと右側の背面パネルとのコーナー部にそれぞれ配される左右一対のコーナーパネルと、
左側の側面パネルと右側の側面パネルとの上部に架け渡される天井部材と
で構成され、
側面パネル及び背面パネルが矩形板状を為し、
コーナーパネルが、矩形板状を為す一対の分割パネルを水平断面「Ｌ」字状に連結した構造を有するとともに、
左右一対の側面パネルにおける互いに対向する面、左右一対の背面パネルにおける前方を向く面、及び、左右一対のコーナーパネルにおける前記コーナー部の内側を向く面が、背景表示面とされて、
側面パネル、背面パネル及びコーナーパネルの側縁部に、これらの隣に配される他の側面パネル、背面パネル及びコーナーパネルの側縁部に連結するためのパネル連結部が設けられた
ことを特徴とする分解組立式スタジオ
を提供することによって解決される。
【０００７】
本発明の分解組立式スタジオは、上記のように、左右一対の側面パネルと、左右一対の背面パネルと、左右一対のコーナーパネルと、天井部材とに分解可能な構造を有しているため、車両の入ることができない室内等に搬入して設置することも可能なものとなっている。加えて、大型のトラックを使用しなくても、軽トラックやライトバン等の自家用車で搬送することも可能なものとなっている。また、本発明の分解組立式スタジオは、構造がシンプルであり、その価格を抑えることも可能なものとなっている。
【０００８】
本発明の分解組立式スタジオにおいては、側面パネル及び背面パネルの全てを、同一寸法の矩形板状を為すものとすることが好ましい。これにより、左右一対の側面パネル及び左右一対の背面パネルからなる計４枚のパネルをコンパクトに重ねて、分解組立式スタジオの搬送時や収納時においてこれら４枚のパネルが場所を取らないようにすることが可能になる。
【０００９】
本発明の分解組立式スタジオにおいては、コーナーパネルを、そのコーナーパネルを構成する一方の分割パネルと他方の分割パネルとが互いに重なり合う二つ折り状態にすることができる構造とすることも好ましい。これにより、分解組立式スタジオの搬送時や収納時において、それぞれのコーナーパネルが場所を取らないようにすることが可能になる。
【００１０】
本発明の分解組立式スタジオにおいて、上記のように、側面パネル及び背面パネルの全てを、同一寸法の矩形板状を為すものとし、且つ、コーナーパネルを二つ折り状態にすることができる構造とする場合には、コーナーパネルを構成するそれぞれの分割パネルを、側面パネルを横幅方向に二等分した矩形板状を為すものとすることが好ましい。これにより、分解組立式スタジオを搬送又は収納する際には、例えば、二つ折り状態にした左右一対のコーナーパネルを、側面パネルや背面パネルの上面に左右に並べて載置しても、コーナーパネルが側面パネルや背面パネルから食み出ないようにすることが可能になる。すなわち、側面パネル、背面パネル及びコーナーパネルをよりコンパクトに重ねた状態で、分解組立式スタジオを搬送又は収納することが可能になる。
【００１１】
本発明の分解組立式スタジオにおいては、上記のパネル連結部を、側面パネル、背面パネル及びコーナーパネルの側端面に設けられた凸部及び凹部を互いに嵌合するものとすることが好ましい。これにより、パネル連結部を、簡素な構造とし、直感的に利用できるものとすることが可能になる。
【００１２】
本発明の分解組立式スタジオにおいては、天井部材を、その左側を形成する左側部材と、その右側を形成する右側部材とが互いに重なり合う二つ折り状態にすることができる構造とすることが好ましい。これにより、分解組立式スタジオの搬送時や収納時において、天井パネルが場所を取らないようにすることが可能になる。このとき、天井部材を構成する左側部材及び右側部材は、それぞれが側面パネル及び背面パネルから外側に食み出ない寸法のものとすると、側面パネル、背面パネル、コーナーパネル及び天井部材をよりコンパクトに重ねた状態で、分解組立式スタジオを搬送又は収納することが可能になる。
【発明の効果】
【００１３】
以上のように、本発明によって、屋外だけでなく室内にも容易に搬入することができる分解組立式スタジオを提供することが可能になる。また、分解組立式スタジオをシンプルな構造として安価で提供することも可能になる。
【図面の簡単な説明】
【００１４】
【図１】本発明に係る分解組立式スタジオを室内に設置した様子を前方から撮影した写真である。
【図２】本発明に係る分解組立式スタジオを組み立てた状態を、前方斜め左上から見た斜視図である。
【図３】本発明に係る分解組立式スタジオを組み立てている途中であって、（ａ）側面パネル、背面パネル及びコーナーパネルを連結する前の状態と、（ｂ）側面パネル、背面パネル及びコーナーパネルを連結した後の状態とを、前方斜め左上から見た斜視図である。
【図４】本発明に係る分解組立式スタジオを組み立てている途中であって、（ａ）天井部材を左右の側面パネルに架け渡す前の状態と、（ｂ）天井部材を左右の側面パネルに架け渡した後の状態とを、前方斜め左上から見た斜視図である。
【図５】本発明に係る分解組立式スタジオにおいて、側面パネル及び背面パネルとして共用される平板型パネル材を、（ａ）オモテ面（背景表示面）側から見た状態と、（ｂ）ウラ面（背景表示面の反対面）側から見た状態とを示した斜視図である。
【図６】本発明に係る分解組立式スタジオにおいて、左右のコーナーパネルとして共用される屈曲型パネル材を、（ａ）一対の分割パネルを開いてオモテ面（背景表示面）側から見た状態と、（ｂ）一対の分割パネルを開いてウラ面（背景表示面の反対面）側から見た状態と、（ｃ）一対の分割パネルを閉じた状態（コーナーパネルを二つ折りした状態）とを示した斜視図である。
【図７】本発明に係る分解組立式スタジオにおける天井部材の、（ａ）展開した状態と、（ｂ）折り畳んだ状態（天井部材を二つ折りした状態）とを示した斜視図である。
【図８】本発明に係る分解組立式スタジオを分解して、側面パネル、背面パネル、コーナーパネル及び天井部材を重ねた状態を示した斜視図である。
【発明を実施するための形態】
【００１５】
本発明の分解組立式スタジオの好適な実施態様について、図面を用いてより具体的に説明する。
【００１６】
１．分解組立式スタジオの概要
図１は、本発明に係る分解組立式スタジオ１０を室内に設置した様子を前方から撮影した写真である。本発明の分解組立式スタジオ１０は、図１に示すように、屋内に搬入して設置することができるものとなっている。この分解組立式スタジオ１０の前方に被写体を配して撮影すると、所望の背景で被写体を写真撮影することができる。図１に示す例では、この分解組立式スタジオ１０によって、カントリー調の家屋の屋内風景が背景として得られるようになっているが、背景は、これに限定されず、撮影対象等に応じて適宜変更することができる。例えば、海等の風景を背景として表わすことも可能である。これらの背景は、印刷した写真若しくは絵、又は、その場所に直接描かれた絵等で表わすことができる。
【００１７】
本発明の分解組立式スタジオ１０は、図１に示すように、左右方向に所定間隔を隔てて配される左右一対の側面パネル１１，１２と、側面パネル１１，１２の後方に配される左右一対の背面パネル１３，１４と、左側の側面パネル１１と左側の背面パネル１３とのコーナー部に配される左側のコーナーパネル１５と、右側の側面パネル１２と右側の背面パネル１４とのコーナー部に配される右側のコーナーパネル１６と、左側の側面パネル１１と右側の側面パネル１２との上部に架け渡される天井部材１７とで構成されており、後述するように、左側の側面パネル１１と、右側の側面パネル１２と、左側の背面パネル１３と、右側の背面パネル１４と、左側のコーナーパネル１５と、右側のコーナーパネル１６と、天井部材１７とに分解することが可能な構造を有している。
【００１８】
本実施態様の分解組立式スタジオ１０は、既に述べたように、カントリー調の家屋の屋内風景を背景として表わすものであるところ、左側の側面パネル１１のオモテ面（右向き面）には、矩形状の腰窓と木目調の腰板を、背景として表わしている。また、右側の側面パネル１２のオモテ面（左向き面）には、アーチ状の腰窓と木目調の腰板を、背景として表わしている。さらに、左側の背面パネル１３のオモテ面（前向き面）には、木目調のドアと壁面を背景として表わしている。さらにまた、右側の背面パネル１４には、矩形状の掃き出し窓と観葉植物と木目調の壁面を背景として表わしている。そして、左側のコーナーパネル１５のオモテ面には、左側の側面パネル１１の背景と左側の背面パネル１３の背景とを繋ぐ背景を表わしている。そしてまた、右側のコーナーパネル１６のオモテ面には、右側の側面パネル１２の背景と右側の背面パネル１４の背景とを繋ぐ背景を表わしている。
【００１９】
図２は、本発明に係る分解組立式スタジオ１０を組み立てた状態を、前方斜め左上から見た斜視図である。図２においては、図示の便宜上、側面パネル１１，１２、背面パネル１３，１４及びコーナーパネル１５，１６のオモテ面（背景表示面）に表わされる背景を網掛けハッチングで示している。これについては、後掲する図３以降の図においても同様である。
【００２０】
既に述べたように、本発明の分解組立式スタジオ１０は、側面パネル１１と側面パネル１２と背面パネル１３と背面パネル１４とコーナーパネル１５とコーナーパネル１６と天井部材１７とに分解することが可能な構造を有するところ、図２に示すように、側面パネル１１，１２及び背面パネル１３，１４は、いずれも矩形板状を為す平板型パネル材となっており、コーナーパネル１５，１６は、いずれも水平断面「Ｌ」字状を為す屈曲型パネル材となっている。
【００２１】
この分解組立式スタジオ１０は、図３（ａ）に示すように、側面パネル１１と側面パネル１２と背面パネル１３と背面パネル１４とコーナーパネル１５とコーナーパネル１６とが分離した状態から、図３（ｂ）に示すように、側面パネル１１と側面パネル１２と背面パネル１３と背面パネル１４とコーナーパネル１５とコーナーパネル１６とを連結した後、図４（ａ）に示すように、側面パネル１１，１２の上側に天井部材１７を配し、図４（ｂ）に示すように、その天井部材１７を側面パネル１１，１２に架け渡した状態とすることによって組み立てるものとなっている。
【００２２】
ここで、図３は、本発明に係る分解組立式スタジオ１０を組み立てている途中であって、（ａ）側面パネル１１，１２、背面パネル１３，１４及びコーナーパネル１５，１６を連結する前の状態と、（ｂ）側面パネル１１，１２、背面パネル１３，１４及びコーナーパネル１５，１６を連結した後の状態とを、前方斜め左上から見た斜視図である。また、図４は、本発明に係る分解組立式スタジオ１０を組み立てている途中であって、（ａ）天井部材１７を左右の側面パネル１１，１２に架け渡す前の状態と、（ｂ）天井部材１７を左右の側面パネル１１，１２に架け渡した後の状態とを、前方斜め左上から見た斜視図である。
【００２３】
本実施態様の分解組立式スタジオ１０は、上記のような基本構成を有しているが、さらに以下のような構成も有している。
【００２４】
２．側面パネル及び背面パネル（平板型パネル材）
まず、側面パネル１１，１２及び背面パネル１３，１４について説明する。図５は、本発明に係る分解組立式スタジオ１０において、側面パネル１１，１２及び背面パネル１３，１４として共用される平板型パネル材Ｐ１を、（ａ）オモテ面（背景表示面）側から見た状態と、（ｂ）ウラ面（背景表示面の反対面）側から見た状態とを示した斜視図である。
【００２５】
既に述べたように、側面パネル１１，１２及び背面パネル１３，１４は、いずれも矩形板状を為しているところ、本実施態様の分解組立式スタジオ１０においては、これらの側面パネル１１，１２及び背面パネル１３，１４として、図５に示す共通の平板型パネル材Ｐ１を用いている。換言すると、側面パネル１１と側面パネル１２と背面パネル１３と背面パネル１４は、同一寸法となっている。このため、分解組立式スタジオ１０を収納又は搬送する際には、後掲の図８に示すように、側面パネル１１と側面パネル１２と背面パネル１３と背面パネル１４とを食み出ない状態でコンパクトに積み重ねることができるようになっている。また、分解組立式スタジオ１０の製造に必要な部材の種類数を減らし、分解組立式スタジオ１０の製造コストを抑えることも可能となっている。加えて、部材の歩留まりを良くすることも可能となっている。
【００２６】
本実施態様の分解組立式スタジオ１０において、平板型パネル材Ｐ１は、図５に示すように、そのオモテ面が背景表示面となるボード部材Ｂ１と、ボード部材Ｂ１をウラ面側から補強支持するフレーム部材Ｆ１とで構成されている。ボード部材Ｂ１のオモテ面には、所定の背景が表わされる。ボード部材Ｂ１への背景の表わし方は、特に限定されないが、その背景が描かれたシートをボード部材Ｂ１のオモテ面に貼り付ける方法や、その背景をボード部材Ｂ１のオモテ面に直接描く方法等が例示される。ボード部材Ｂ１やフレーム部材Ｆ１の素材は、特に限定されず、金属等を用いてもよいが、この場合には、平板型パネルＰ１が重くなる虞がある。このため、ボート部材Ｂ１やフレーム部材Ｆ１は、木や厚紙（又はその積層体）等で形成することが好ましい。
【００２７】
また、本実施態様の分解組立式スタジオ１０においては、図５に示すように、平板型パネルＰ１の側端面に、その平板型パネル材Ｐ１をその隣に配される他の平板型パネル材Ｐ１又は屈曲型パネル材Ｐ２（後掲の図６を参照。）に連結するためのパネル連結部α１，α２を設けている。具体的には、図５（ａ）に示すように、円弧状に突出する凸部からなるパネル連結部α１を、平板型パネルＰ１の一方の側端面における上下２箇所に設け、円弧状に窪んだ凹部からなるパネル連結部α２を、平板型パネルＰ１の他方の側端面における上下２箇所に設けている。この凸部（パネル連結部α１）を隣に配される他の平板型パネルＰ１又は屈曲型パネルＰ２の凹部（パネル連結部α２）に嵌め込むことにより、これらのパネルが互いに連結されるようになっている。
【００２８】
平板型パネル材Ｐ１の高さや横幅は、分解組立式スタジオ１０の用途等によっても異なり、特に限定されない。例えば、大人や大型の製品を撮影する場合には、平板型パネル材Ｐ１の高さや横幅は、それに見合うように大きくする必要があるし、逆に、子供やペットや小型の製品を撮影する場合には、平板型パネル材Ｐ１の高さや横幅は、それに見合うように小さくすることができる。ただし、平板型パネル材Ｐ１の高さや横幅が小さいと、スタジオを分解組立式のものとした意義が低下する。このため、平板型パネル材Ｐ１の高さは、通常、１００ｃｍ以上とされ、好ましくは、１５０ｃｍ以上とされる。また、平板型パネル材Ｐ１の横幅は、通常、５０ｃｍ以上とされ、好ましくは、７０ｃｍとされる。一方、平板型パネル材Ｐ１の高さや横幅が大きいと、平板型パネル材Ｐ１を一般家屋の室内に搬入できなくなるだけでなく、平板型パネル材Ｐ１の搬送や組み立てが難しくなる虞もある。このため、平板型パネル材Ｐ１の高さは、通常、３００ｃｍ以下とされ、好ましくは、２５０ｃｍ以下とされ、より好ましくは、２２０ｃｍ以下とされる。また、平板型パネル材Ｐ１の横幅は、通常、３００ｃｍ以下とされ、好ましくは、２００ｃｍ以下とされ、より好ましくは、１５０ｃｍ以下とされる。本実施態様の分解組立式スタジオ１０において、平板型パネル材Ｐ１の高さは１８３ｃｍとなっており、平板型パネル材Ｐ１の横幅は９０ｃｍとなっている。
【００２９】
平板型パネル材Ｐ１の厚さも、特に限定されない。しかし、平板型パネル材Ｐ１を薄くしすぎると、平板型パネル材Ｐ１の強度を維持しにくくなり、分解組立式スタジオ１０の組み立て後に平板型パネル材Ｐ１が撓みやすくなる虞がある。また、本実施態様の分解組立式スタジオ１０においては、既に述べたように、平板型パネル材Ｐ１の側端面にパネル連結部α１，α２を設けたところ、平板型パネル材Ｐ１が薄いと、パネル連結部α１，α２を平板型パネル材Ｐ１の側端面に設けることができなくなる虞がある。このため、平板型パネル材Ｐ１の厚さは、通常、１ｃｍ以上とされ、好ましくは、２ｃｍ以上とされ、より好ましくは、３ｃｍ以上とされる。一方、平板型パネル材Ｐ１が厚すぎると、平板型パネル材Ｐ１の重量が重くなる虞がある。また、分解組立式スタジオ１０の搬送時や収納時において、平板型パネル材Ｐ１をコンパクトに積み重ねることができなくなる虞もある。このため、平板型パネル材Ｐ１の厚さは、通常、１５ｃｍ以下とされ、好ましくは、１０ｃｍ以下とされ、より好ましくは、７ｃｍ以下とされる。本実施態様の分解組立式スタジオ１０において、平板型パネル材Ｐ１の厚さは４ｃｍとなっている。
【００３０】
３．コーナーパネル（屈曲型パネル材）
続いて、コーナーパネル１５，１６について説明する。図６は、本発明に係る分解組立式スタジオ１０において、コーナーパネル１５，１６として共用される屈曲型パネル材Ｐ２を、（ａ）一対の分割パネルＰ２．１，Ｐ２．２を開いてオモテ面（背景表示面）側から見た状態と、（ｂ）一対の分割パネルＰ２．１，Ｐ２．２を開いてウラ面（背景表示面の反対面）側から見た状態と、（ｃ）一対の分割パネルＰ２．１，Ｐ２．２を閉じた状態（コーナーパネル１５，１６を二つ折りした状態）とを示した斜視図である。
【００３１】
既に述べたように、コーナーパネル１５，１６は、いずれも水平断面「Ｌ」字状を為しているところ、本実施態様の分解組立式スタジオ１０においては、これらのコーナーパネル１５，１６として、図６に示す共通の屈曲型パネル材Ｐ２を用いている。換言すると、コーナーパネル１５とコーナーパネル１６は、同一寸法となっている。これにより、分解組立式スタジオ１０の製造に必要な部材の種類数を減らし、分解組立式スタジオ１０の製造コストを抑えることが可能となっている。加えて、部材の歩留まりを良くすることも可能となっている。
【００３２】
本実施態様の分解組立式スタジオ１０において、屈曲型パネル材Ｐ２は、図６に示すように、その一方を構成する分割パネルＰ２．１と、その他方を構成する分割パネルＰ２．２と、分割パネルＰ２．１と分割パネルＰ２．２とを開閉可能な状態で連結する開閉連結部Ｐ２．３とで構成している。分割パネルＰ２．１と分割パネルＰ２．２は、パネル連結部α１，α２を除いて同じ寸法の矩形板状を為している。このため、屈曲型パネル材Ｐ２は、図６（ａ），（ｂ）に示すように、分割パネルＰ２．１と分割パネルＰ２．２とが略垂直となる状態に開くと、水平断面「Ｌ」字状の形態になる一方、図６（ｃ）に示すように、分割パネルＰ２．１と分割パネルＰ２．２とが互いに重なるように閉じる（二つ折りする）と、分割パネルＰ２．１，Ｐ２．２の約１枚分の横幅で約２倍分の厚さを有する平板状の形態になるようになっている。このため、分解組立式スタジオ１０の搬送時や収納時において、コーナーパネル１５，１６を二つ折りすれば、コーナーパネル１５，１６が場所を取らないようにすることが可能となっている。また、分解組立式スタジオ１０の製造に必要な部材の種類数を減らし、分解組立式スタジオ１０の製造コストを抑えることも可能となっている。さらに、部材の歩留まりを良くすることも可能となっている。
【００３３】
分割パネルＰ２．１及び分割パネルＰ２．２の高さは、特に限定されないが、通常、平板型パネルＰ１（図５）の高さと同一（本実施態様の分解組立式スタジオ１０においては１８３ｃｍ）とされる。また、分割パネルＰ２．１及び分割パネルＰ２．２の厚さも、特に限定されないが、通常、平板型パネルＰ１（図５）の厚さと同一（本実施態様の分解組立式スタジオ１０においては４ｃｍ）とされる。さらに、分割パネルＰ２．１及び分割パネルＰ２．２の横幅も、特に限定されないが、本実施態様の分解組立式スタジオ１０においては、平板型パネル材Ｐ１（図５）の横幅の２分の１（本実施態様の分解組立式スタジオ１０においては４５ｃｍ）としている。
【００３４】
このように、分割パネルＰ２．１及び分割パネルＰ２．２の横幅を、平板型パネル材Ｐ１の横幅の半分とすることで、分解組立式スタジオ１０を収納又は搬送する際には、後掲の図８に示すように、二つ折りしたコーナーパネル１５，１６を並べて配すると、これらのコーナーパネル１５，１６が、側面パネル１１，１２や背面パネル１３，１４から食み出ない状態で、コーナーパネル１５，１６を、側面パネル１１，１２や背面パネル１３，１４にコンパクトに積み重ねることが可能となっている。
【００３５】
分割パネルＰ２．１及び分割パネルＰ２．２は、それぞれ、そのオモテ面が背景表示面となるボード部材Ｂ２と、ボード部材Ｂ２をウラ面側から補強支持するフレーム部材Ｆ２とで構成されている。ボード部材Ｂ２やフレーム部材Ｆ２は、その横幅が半分になっていること以外は、平面型パネル材Ｐ１におけるボード部材Ｂ１やフレーム部材Ｆ１と同様であるため、詳しい説明を割愛する。また、図６（ａ）に示すように、分割パネルＰ２．１における一方の側端面には、凹部からなるパネル連結部α２が設けられており、分割パネルＰ２．２における他方の側端面には、凸部からなるパネル連結部α１が設けられている。このパネル連結部α１，α２も、平面型パネル材Ｐ１におけるパネル連結部α１，α２と同様であるため、詳しい説明を割愛する。
【００３６】
開閉連結部Ｐ２．３は、屈曲型パネル材Ｐ２における分割パネルＰ２．１と分割パネルＰ２．２とを開閉可能な状態で連結できるものであれば、特に限定されない。開閉連結部Ｐ２．３としては、金属製のヒンジ具等を用いることも可能である。しかし、この場合には、図６（ａ）に示すように、屈曲型パネル材Ｐ２を開いたときに、分割パネルＰ２．１と分割パネルＰ２．２との間に隙間が形成され、分解組立式スタジオ１０を用いて撮影を行った場合に、その隙間が目立つ状態で写真に写り込む虞がある。このため、本実施態様の分解組立式スタジオ１０において、開閉連結部Ｐ２．３は、図６（ｂ），（ｃ）に示すように、分割パネルＰ２．１及び分割パネルＰ２．２の上端から下端までの長さを有する帯状の粘着テープを、分割パネルＰ２．１及び分割パネルＰ２．２の互いに対向する側端面に、分割パネルＰ２．１と分割パネルＰ２．２との境界部に跨るように貼り付けたものとしている。これにより、分割パネルＰ２．１と分割パネルＰ２．２との間に隙間が屈曲型パネル材Ｐ２のオモテ面側から目立たないようにすることが可能になる。
【００３７】
４．天井部材
最後に、天井部材１７について説明する。本実施態様の分解組立式スタジオ１０において、天井部材１７は、図４に示すように、梯子状のフレーム部材によって構成されており、その左端部及び右端部に設けられた嵌合部β１（凹部）を、被嵌合部β２（側面パネル１１，１２の上縁部）に対して嵌合することにより、側面パネル１１，１２の上側に架け渡すことができるものとなっている。このように、天井部材１７を側面パネル１１，１２間に架け渡すことで、側面パネル１１，１２が内側に倒れないようにして、組み立て後の分解組立式スタジオ１０の剛性を高めることが可能となっている。
【００３８】
また、写真撮影を行う際には、適切な照明が必要であるところ、天井部材１７に照明を取り付けることも可能となる。本実施態様の分解組立式スタジオ１０においても、図４に示すように、天井部材１７にソケットＳを設けており、図２に示すように、このソケットＳに照明Ｌ（図２の例では、ＬＥＤ蛍光灯）を取り付けることができるようにしている。天井部材１７には、ソケットＳに電力を供給するケーブル（図示省略）を配線することも可能である。
【００３９】
ところで、本実施態様の分解組立式スタジオ１０において、天井部材１７は、図７に示すように、折り畳むことが可能な構造としている。ここで、図７は、本発明に係る分解組立式スタジオ１０における天井部材１７の、（ａ）展開した状態と、（ｂ）折り畳んだ状態（天井部材を二つ折りした状態）とを示した斜視図である。
【００４０】
より具体的には、天井部材１７を、図７に示すように、天井部材１７の略左半分を形成する左側部材１７ａと、天井部材１７の略右半分を形成する右側部材１７ｂと、左側部材１７ａと右側部材１７ｂとをその境界部付近の回動中心線Ａを中心として図７（ａ）の矢印の向きに回動可能な状態で連結する回動連結部（図示省略）とで構成している。このため、天井部材１７は、図７（ａ）に示すように展開した状態から、図７（ｂ）に示すように折り畳んだ状態へと二つ折りすることが可能となっている。天井部材１７の左右方向中央部の上面側には、天井部材１７が展開状態（図７（ａ））からそれ以上逆側に回動しないようにするためのストッパー部１７ｃを設けている。
【００４１】
また、天井部材１７における左側部材１７ａと右側部材１７ｂは、ストッパー部１７ｃを除いた部分が、左右対称を為し、同一形状で同一寸法となるようにしている。加えて、左側部材１７ａ及び右側部材１７ｂのそれぞれの左右長を、側面パネル１１，１２（平板型パネル材Ｐ１）の横幅よりも短くするとともに、左側部材１７ａ及び右側部材１７ｂのそれぞれの前後幅を、側面パネル１１，１２（平板型パネル材Ｐ１）の高さよりも短くしている。換言すると、天井部材１７は、二つ折りした状態にあっては、側面パネル１１，１２（平板型パネル材Ｐ１）に対して外側に食み出ない状態で重ねることができるようになっている。
【００４２】
したがって、分解した分解組立式スタジオ１０における、側面パネル１１，１２、背面パネル１３，１４、コーナーパネル１５，１６及び天井部材１７を、図８に示すように、コンパクトに積み重ねた状態とすることができるようになっている。ここで、図８は、本発明に係る分解組立式スタジオ１０を分解して、側面パネル１１，１２、背面パネル１３，１４、コーナーパネル１５，１６及び天井部材１７を重ねた状態を示した斜視図である。
【００４３】
本実施態様の分解組立式スタジオ１０は、図８に示す状態において、高さ（厚さ）が約３２ｃｍ、縦長が約１８３ｃｍ、横長が約９０ｃｍとなるようになっている。その総重量は、約５１ｋｇとなっている。本実施態様の分解組立式スタジオ１０は、この程度までコンパクトにすることができるため、搬送時や収納時の省スペース化を図ることができるものとなっている。本発明の分解組立式スタジオ１０は、軽トラックやライトバン等の自家用車で搬送することも可能である。
【００４４】
５．用途
本発明の分解組立式スタジオ１０は、写真撮影やビデオ撮影を行う際に好適に使用することができるものとなっている。なかでも、自宅やイベント会場等における屋内で記念写真を撮影する場合や、オフィスビル等の客先の施設で製品の宣伝写真を撮影する場合等に好適に用いることができる。また、本発明の分解組立式スタジオ１０は、分解及び組立が容易であり、必要なときにのみ組み立てて、不要なときには分解して収納するといったことも容易であるため、１箇所（例えば写真館）のみで使用しても、その有用さを感じることができる。異なる背景が表わされた複数種類の分解組立式スタジオ１０を用意しておけば、顧客の要望に応じた背景のものをその場で組み立てて撮影することも可能である。
【符号の説明】
【００４５】
１０    分解組立式スタジオ
１１    左側の側面パネル
１２    右側の側面パネル
１３    左側の背面パネル
１４    右側の背面パネル
１５    左側のコーナーパネル
１６    右側のコーナーパネル
１７    天井部材
１７ａ  左側部材
１７ｂ  右側部材
１７ｃ  ストッパー部
Ａ    回動中心線
Ｂ１  ボード部材（平板型パネル材用）
Ｂ２  ボード部材（屈曲型パネル材用）
Ｆ１  フレーム部材（平板型パネル材用）
Ｆ２  フレーム部材（屈曲型パネル材用）
Ｌ    照明
Ｐ１  平面型パネル材
Ｐ２  屈曲型パネル材
Ｐ２．１  分割パネル
Ｐ２．２  分割パネル
Ｐ２．３  開閉連結部
Ｓ    ソケット
α１  パネル連結部（凸部）
α２  パネル連結部（凹部）
β１  嵌合部（凹部）
β２  被嵌合部（側面パネルの上縁部）
【図１】
2019052433.tif 000003
【図２】
2019052433.tif 000004
【図３】
2019052433.tif 000005
【図４】
2019052433.tif 000006
【図５】
2019052433.tif 000007
【図６】
2019052433.tif 000008
【図７】
2019052433.tif 000009
【図８】
2019052433.tif 000010
【手続補正書】
【提出日】平成29年12月13日(2017.12.13)
【手続補正１】
【補正対象書類名】特許請求の範囲
【補正対象項目名】全文
【補正方法】変更
【補正の内容】
【特許請求の範囲】
【請求項１】
分解組立式スタジオであって、
左右方向に所定間隔を隔てて配される左右一対の側面パネルと、
側面パネルの後方に配される左右一対の背面パネルと、
左側の側面パネルと左側の背面パネルとのコーナー部、及び、右側の側面パネルと右側の背面パネルとのコーナー部にそれぞれ配される左右一対のコーナーパネルと、
左側の側面パネルと右側の側面パネルとの上部に架け渡される天井部材と
で構成され、
側面パネル及び背面パネルの全てが、同一寸法の矩形板状を為し、
コーナーパネルが、
側面パネルを横幅方向に二等分した寸法の矩形板状を為す一対の分割パネルと、
一方の分割パネル及び他方の分割パネルを、水平断面「Ｌ」字状になる状態と、互いに重なり合う二つ折り状態との間で開閉可能な状態で連結する開閉連結部と
で構成され、
天井部材が、
天井部材の左側を形成する部材であって、側面パネルの高さよりも短い左右幅を有し、側面パネルの横幅よりも短い前後幅を有する左側部材と、
天井部材の右側を形成する部材であって、左側部材と略同一形状で略同一寸法を有する右側部材と、
左側部材及び右側部材を、互いに重なり合う二つ折り状態となるまで回動可能な状態で連結する回動連結部と
で構成され、
左右一対の側面パネルにおける互いに対向する面、左右一対の背面パネルにおける前方を向く面、及び、左右一対のコーナーパネルにおける前記コーナー部の内側を向く面が、背景表示面とされて、
側面パネル、背面パネル及びコーナーパネルの側縁部に、これらの隣に配される他の側面パネル、背面パネル及びコーナーパネルの側縁部に連結するためのパネル連結部が設けられた
ことを特徴とする分解組立式スタジオ。
【請求項２】
パネル連結部が、側面パネル、背面パネル及びコーナーパネルの側端面に設けられた凸部及び凹部を互いに嵌合するものとされた請求項１記載の分解組立式スタジオ。
【請求項３】
開閉連結部が、コーナーパネルを構成する一対の分割パネルの互いに対向する側端面に、当該一対の分割パネルの境界部に跨るように分割パネルの上端から下端に至る部分に貼り付けられた粘着テープとされることにより、
コーナーパネルを構成する一対の分割パネルが、背景表示面側を中心に開閉可能な構造とされた
請求項１又は２記載の分解組立式スタジオ。
【手続補正２】
【補正対象書類名】明細書
【補正対象項目名】００４１
【補正方法】変更
【補正の内容】
【００４１】
また、天井部材１７における左側部材１７ａと右側部材１７ｂは、ストッパー部１７ｃを除いた部分が、左右対称を為し、同一形状で同一寸法となるようにしている。加えて、左側部材１７ａ及び右側部材１７ｂのそれぞれの左右長を、側面パネル１１，１２（平板型パネル材Ｐ１）の高さよりも短くするとともに、左側部材１７ａ及び右側部材１７ｂのそれぞれの前後幅を、側面パネル１１，１２（平板型パネル材Ｐ１）の横幅よりも短くしている。換言すると、天井部材１７は、二つ折りした状態にあっては、側面パネル１１，１２（平板型パネル材Ｐ１）に対して外側に食み出ない状態で重ねることができるようになっている。